(57)【要約】【課題】幅方向へは、ビス等の固定具を不要として良好な敷設状態を実現することができ、長手方向へは、一部ラップして止水性能を確保して良好な敷設状態を実現することができる耐火屋根用のデッキプレート、同デッキプレートを使用して構築した建築物の耐火屋根構造および耐火屋根施工方法を提供する。【解決手段】建築物最上階の鉄骨梁１０の上に敷設する耐火屋根用のデッキプレート１において、前記デッキプレート１は、山部４と谷部５を備えた波形の断面形状であり、その幅方向の両端部に前記谷部４と同一面にある底面部６の端部から上方に屈曲して立ち上がる係合部２、３が設けられており、一側の上部係合部３は他側の下部係合部２の上に載ったとき、上方に離脱しないように掛け止まる屈曲した断面形状とされ、各係合部２、３における長手方向の一端部、又は両端部は切除されている。【選択図】図２
2008133636.tif 000002
【特許請求の範囲】
【請求項１】
建築物最上階の鉄骨梁の上に敷設する耐火屋根用のデッキプレートにおいて、
前記デッキプレートは、山部と谷部を備えた波形の断面形状であり、その幅方向の両端部に前記谷部と同一面にある底面部の端部から上方に屈曲して立ち上がる係合部が設けられており、一側の上部係合部は他側の下部係合部の上に載ったとき、上方に離脱しないように掛け止まる屈曲した断面形状とされ、各係合部における長手方向の一端部、又は両端部は切除されていることを特徴とする、耐火屋根用のデッキプレート。
【請求項２】
係合したときに下側に位置する前記他側の下部係合部は、前記谷部と同一面にある底面部の端部から内方へ斜め上方に立ち上がる立ち上がり部を有する断面形状であり、係合したときに上側に位置する前記一側の上部係合部は、前記谷部と同一面にある底面部の端部から上方へ立ち上がり前記他側の下部係合部を係合する掛け止め部を有する断面形状であることを特徴とする、請求項１に記載した耐火屋根用のデッキプレート。
【請求項３】
係合したときに下側に位置する前記他側の下部係合部は、前記谷部と同一面にある底面部の端部から内方に斜め上方に立ち上がる立ち上がり部と、同立ち上がり部の天端から外方に突き出る突き出し部とからなる断面形状であり、係合したときに上側に位置する前記一側の上部係合部は、前記谷部と同一面にある底面部の端部から前記他側の下部係合部より高く立ち上がる立ち上がり部と、同立ち上がり部の天端から外方に突き出る突き出し部と、同突き出し部の先端から下方に下がり屈曲するＣ字形状の掛け止め部とからなる断面形状であることを特徴とする、請求項１に記載した耐火屋根用のデッキプレート。
【請求項４】
前記各係合部の長手方向の一方向端部を切除する寸法はともに同等長さであり、少なくとも１０ｍｍ程度であることを特徴とする、請求項１〜３のいずれか一に記載した耐火屋根用のデッキプレート。
【請求項５】
前記各係合部の長手方向の一端部、又は両端部は、前記谷部と同一面にある底面部の端部を含めて切除されていることを特徴とする、請求項１〜４のいずれか一に記載した耐火屋根用のデッキプレート。
【請求項６】
建築物最上階の鉄骨梁の上に、請求項１〜請求項５のいずれか一に記載した耐火屋根用のデッキプレートが幅方向及び長手方向に敷設され、同デッキプレート上に断熱ボードが固定され、さらにその上面に防水シートが敷設されてなる耐火屋根構造であって、
幅方向に隣接するデッキプレート同士は、その幅方向の端部に設けた係合部同士が相互に掛け止められて敷設されていること、
長手方向に隣接するデッキプレート同士は、その幅方向の両端部に設けた係合部同士は突き合わされると共に、係合部を除く山部及び谷部同士は一部ラップして重ね合わせた状態で敷設されていることを特徴とする、耐火屋根構造。
【請求項７】
前記デッキプレートは、その長手方向に、流水勾配を形成して敷設されていることを特徴とする、請求項６に記載した耐火屋根構造。
【請求項８】
長手方向に隣接するデッキプレートを重ね合わせたときの重ね代の長さが、係合部における長手方向の両端部の切り欠き長さの合計であることを特徴とする、請求項６又は７に記載した耐火屋根構造。
【請求項９】
建築物の耐火屋根施工方法において、
鉄骨の柱梁等の構造材を組立て接合した後、建築物最上階の鉄骨梁の上に、請求項１〜請求項５のいずれか一に記載した耐火屋根用デッキプレートを、幅方向へは、先行して敷設したデッキプレートの幅方向の端部に設けた一側の下部係合部へ、後続のデッキプレートの幅方向の端部に設けた他側の上部係合部を掛け止めて敷設し、長手方向へは、先行して敷設したデッキプレートへ後続のデッキプレートを、係合部同士は突き合わせると共に、山部と谷部同士は上面に一部ラップして重ねて敷設すること、
次に、外壁工事および排水溝設置工事ならびに板金工事を行い、しかる後、敷設した前記デッキプレート上に断熱ボードを固定し、さらにその上面に防水シートを敷設することを特徴とする、耐火屋根施工方法。
【請求項１０】
前記デッキプレートは、その長手方向に、流水勾配を形成して敷設することを特徴とする、請求項９に記載した耐火屋根施工方法。
【発明の詳細な説明】
【技術分野】
【０００１】
この発明は、工場や倉庫、スーパー等の建築物の屋根部に好適に使用される耐火屋根用のデッキプレート、同デッキプレートを使用して構築した建築物の耐火屋根構造および耐火屋根施工方法の技術分野に属し、更に言えば、前記デッキプレートの形状に工夫を施すことにより、耐火性能はもとより、止水性能を向上させて敷設することができる耐火屋根用のデッキプレート、耐火屋根構造及び耐火屋根施工方法に関する。
【背景技術】
【０００２】
軽量で支持力が高いデッキプレートを屋根材に使用して構築した建築物の耐火屋根構造は、一例として図１２に示したように、鉄骨の柱梁等で組み立てた構造材の最上階の鉄骨梁１０の上に、山部ａと谷部ｂを備えた波形断面形状のデッキプレートＤが、幅方向及び長手方向に敷設され、同デッキプレートＤの上に断熱ボード１１がタッピングねじ等の固定具１３で固定され、さらにその上面に防水シート１２が敷設されて構築されている（その他、特許文献１の図１、或いは特許文献２の図１、図５も参照）。
【０００３】
前記デッキプレートＤを使用して構築した耐火屋根構造は、コンクリートで実施する場合と比して、建物全体の軽量化を図ることができる上にデッキプレートＤの敷設作業をスムーズに行い得る等々の利点があり、施工コスト低減や工期短縮を実現できるのでその社会的要求が高く、現在、工場や倉庫、スーパー等の建築物に多く採用されている。
【０００４】
ところで、前記デッキプレートＤは、図１３に示したように、その幅方向の両端部に設けた係合部ｃ、ｄについて、一側の上部係合部ｃを谷部ｂと同一面にある平坦形状で、他側の下部係合部ｄを谷部ｂと同一面にある底面部の端部から外方へ斜め上方に立ち上がる形状で実施している。そのため、前記構成のデッキプレートＤは、幅方向への敷設作業を、図１４に示したように、先行して敷設した左側のデッキプレートＤの他側の下部係合部ｄの上面に、後続の右側のデッキプレートＤの一側の上部係合部ｃを、単に上方から載せて重ね合わせて行っていた。
【０００５】
したがって、前記デッキプレートＤによると、幅方向への敷設作業は、前記上部係合部ｃが上方に離脱する（浮き上がる）ことを防止して耐火性能を確保するべく、前記係合部ｄ、ｃの重ね合わせ部位に、ビス等の固定具を所要の間隔で打ち込んで接合する必要があり（前記特許文献１の段落[0018]、及び図３参照）、施工性が悪く、その分コストも嵩むという問題があった。
ちなみに、前記デッキプレートＤの長手方向の敷設作業については、図１５Ａ〜Ｃに示したように、先行する左側のデッキプレートＤの長手方向端部に右側のデッキプレートの長手方向端部を、止水性能を確保するべく一部ラップして重ね合わせた状態で行っている。
【０００６】
次に、特許文献３には、同文献３の第４図と第５図に示すように、床構成用のデッキプレートではあるが、その幅方向の両端部に設けた係合部２０、２１を利用して係合することができる技術が開示されている。
この技術によると、デッキプレートの幅方向への敷設作業を、先行して敷設したデッキプレートの下部係合部２１の上面に、後続のデッキプレートの上部係合部２０を載せて掛け止め、上方に離脱しない構成で実施することができる。したがって、ビス等の固定具を使用することなく、前記上部係合部２０が上方に離脱することを防止することができる。
【０００７】
【特許文献１】特許第３５９３３３８号公報
【特許文献２】特開２００５−１７１６２３号公報
【特許文献３】特公平３−１１３４１号公報
【発明の開示】
【発明が解決しようとする課題】
【０００８】
一般に、耐火屋根構造を構築するには、デッキプレートを敷設した後、建物屋上の外周部にパラペット１４を取り付ける等の外壁工事や排水溝設置工事を行い、また、デッキプレート面とパラペット１４、棟部、及び排水溝周りを鋼板で補強する棟の板金工事を経た後でなければ、前記デッキプレート上に断熱ボード１１及び防水シート１２を敷設する作業を行うことができない。デッキプレートを敷設してから断熱ボード１１と防水シート１２を敷設するまでの期間は、１〜２週間、長い場合は１〜２ヶ月の期間を要する場合もある。
そのため、外部に晒されたデッキプレート同士の接続部から、雨水が経時的に階下に漏水するという問題があり、この問題を回避するべく、耐火屋根構造に適用されるデッキプレートは、耐火性能を確保することはもとより、止水性能を確保して敷設することが重要なポイントとなっている。
【０００９】
しかしながら、前記特許文献３に開示した形状のデッキプレートを屋根材として適用すると、その幅方向の両端部に設けた係合部２０、２１を掛け止め可能な屈曲した形状（嵌合形状）で実施しているが故に、その長手方向は、図１６Ａ〜Ｃに示したように、デッキプレートＤ’の端部同士を重ね合わせることができず、突き合わせて敷設せざるを得なかった。よって、当該長手方向の突き合わせ部位から雨水が経時的に階下に漏水するという問題があり、止水性能を確保して敷設することができない。
【００１０】
すなわち、前記図１２〜図１５に係るデッキプレートＤでは、長手方向への敷設作業は一部ラップして止水性能を確保して良好に行えるものの、幅方向への敷設作業は、上記したようにビス等の固定具を必要とし、施工性及び経済性を損なうという問題があり、前記特許文献３に係るデッキプレートＤ’では、幅方向への敷設作業は良好に行えるものの、長手方向への敷設作業は、上記したように止水性能を確保できないという問題があり、ともに一長一短で、幅方向及び長手方向に良好な敷設状態を実現できるデッキプレートは現状では見当たらない。
【００１１】
本発明の目的は、デッキプレートの幅方向の両端部に設ける係合部の形状に工夫を施すことにより、幅方向へは、ビス等の固定具を不要として良好な敷設状態を実現することができ、長手方向へは、一部ラップして止水性能を確保して良好な敷設状態を実現することができる耐火屋根用のデッキプレート、同デッキプレートを使用して構築した建築物の耐火屋根構造および耐火屋根施工方法を提供することである。
【課題を解決するための手段】
【００１２】
上記背景技術の課題を解決するための手段として、請求項１に記載した発明に係る耐火屋根用のデッキプレートは、建築物最上階の鉄骨梁の上に敷設する耐火屋根用のデッキプレートにおいて、前記デッキプレートは、山部と谷部を備えた波形の断面形状であり、その幅方向の両端部に前記谷部と同一面にある底面部の端部から上方に屈曲して立ち上がる係合部が設けられており、一側の上部係合部は他側の下部係合部の上に載ったとき、上方に離脱しないように掛け止まる屈曲した断面形状とされ、各係合部における長手方向の一端部、又は両端部は切除されていることを特徴とする。
【００１３】
請求項２に記載した発明は、請求項１に記載した発明に係る耐火屋根用のデッキプレートにおいて、係合したときに下側に位置する前記他側の下部係合部は、前記谷部と同一面にある底面部の端部から内方へ斜め上方に立ち上がる立ち上がり部を有する断面形状であり、係合したときに上側に位置する前記一側の上部係合部は、前記谷部と同一面にある底面部の端部から上方へ立ち上がり前記他側の下部係合部を係合する掛け止め部を有する断面形状であることを特徴とする。
【００１４】
請求項３に記載した発明は、請求項１に記載した発明に係る耐火屋根用のデッキプレートにおいて、係合したときに下側に位置する前記他側の下部係合部は、前記谷部と同一面にある底面部の端部から内方に斜め上方に立ち上がる立ち上がり部と、同立ち上がり部の天端から外方に突き出る突き出し部とからなる断面形状であり、係合したときに上側に位置する前記一側の上部係合部は、前記谷部と同一面にある底面部の端部から前記他側の下部係合部より高く立ち上がる立ち上がり部と、同立ち上がり部の天端から外方に突き出る突き出し部と、同突き出し部の先端から下方に下がり屈曲するＣ字形状の掛け止め部とからなる断面形状であることを特徴とする。
【００１５】
請求項４に記載した発明は、請求項１〜３のいずれか一に記載した発明に係る耐火屋根用のデッキプレートにおいて、前記各係合部の長手方向の一方向端部を切除する寸法はともに同等長さであり、少なくとも１０ｍｍ程度であることを特徴とする。
【００１６】
請求項５に記載した発明は、請求項１〜４のいずれか一に記載した発明に係る耐火屋根用のデッキプレートにおいて、前記各係合部の長手方向の一端部、又は両端部は、前記谷部と同一面にある底面部の端部を含めて切除されていることを特徴とする。
【００１７】
請求項６に記載した発明に係る耐火屋根構造は、建築物最上階の鉄骨梁の上に、請求項１〜請求項５のいずれか一に記載した耐火屋根用デッキプレートが幅方向及び長手方向に敷設され、同デッキプレート上に断熱ボードが固定され、さらにその上面に防水シートが敷設されてなる耐火屋根構造であって、
幅方向に隣接するデッキプレート同士は、その幅方向の端部に設けた係合部同士が相互に掛け止められて敷設されていること、
長手方向に隣接するデッキプレート同士は、その幅方向の両端部に設けた係合部同士は突き合わされると共に、係合部を除く山部及び谷部同士は一部ラップして重ね合わせた状態で敷設されていることを特徴とする。
【００１８】
請求項７に記載した発明は、請求項６に記載した発明に係る耐火屋根構造において、前記デッキプレートは、その長手方向に、流水勾配を形成して敷設されていることを特徴とする。
【００１９】
請求項８に記載した発明は、請求項６又は７に記載した発明に係る耐火屋根構造において、長手方向に隣接するデッキプレートを重ね合わせたときの重ね代の長さが、係合部における長手方向の両端部の切り欠き長さの合計であることを特徴とする。
【００２０】
請求項９に記載した発明に係る耐火屋根施工方法は、建築物の耐火屋根施工方法において、鉄骨の柱梁等の構造材を組立て接合した後、建築物最上階の鉄骨梁の上に、請求項１〜請求項５のいずれか一に記載した耐火屋根用デッキプレートを、幅方向へは、先行して敷設したデッキプレートの幅方向の端部に設けた一側の下部係合部へ、後続のデッキプレートの幅方向の端部に設けた他側の上部係合部を掛け止めて敷設し、長手方向へは、先行して敷設したデッキプレートへ後続のデッキプレートを、係合部同士は突き合わせると共に、山部と谷部同士は上面に一部ラップして重ねて敷設すること、
次に、外壁工事および排水溝設置工事ならびに板金工事を行い、しかる後、敷設した前記デッキプレート上に断熱ボードを固定し、さらにその上面に防水シートを敷設することを特徴とする。
【００２１】
請求項１０に記載した発明は、請求項９に記載した発明に係る耐火屋根施工方法において、前記デッキプレートは、その長手方向に、流水勾配を形成して敷設することを特徴とする。
【発明の効果】
【００２２】
請求項１〜請求項５に係る耐火屋根用のデッキプレートによれば、幅方向への敷設作業は、先行して敷設したデッキプレート１の下部係合部２の上面に後続のデッキプレート１の上部係合部３を載せて掛け止め、上方に離脱しない構成で実施できるので、ビス等の固定具を使用することなく、前記上部係合部３が上方に離脱することを防止して耐火性能を確保した良好な敷設状態を実現することができる。また、長手方向への敷設作業は、先行して敷設したデッキプレート１の端部に後続のデッキプレート１の端部を、係合部２、３同士は突き合わせると共に、山部４と谷部５同士はその上面に一部ラップして重ね合わせた状態で実施できるので、止水性能を確保した良好な敷設状態を実現することができる。
【００２３】
請求項６〜１０に記載した耐火屋根構造および耐火屋根施工方法によれば、前記したように、デッキプレート１…を、幅方向及び長手方向ともに重ね合わせによる良好な敷設状態で実施でき、特にはデッキプレート１…のみで雨仕舞いができるので、外壁工事や排水溝設置工事等が完了するまでの間、敷設したデッキプレート１が露出した状態で外部に晒されていたとしても、当該デッキプレート１、１同士の接続部から雨水が経時的に階下に漏水するおそれがない。よって、建物屋内外での作業や鉄骨柱梁等の構造材に悪影響を与えない、施工性に優れた耐火屋根施工方法を実現できると共に、構造的に安定した耐火屋根構造を実現することができる。
【発明を実施するための最良の形態】
【００２４】
本発明に係る耐火屋根用のデッキプレート、同デッキプレートを使用して構築した建築物の耐火屋根構造および耐火屋根施工方法は、上述した発明の効果を奏するべく、以下のように実施される。
【００２５】
図１は、請求項６に係る耐火屋根構造の実施例を示している。この耐火屋根構造は、建築物最上階の鉄骨梁１０の上に、後に詳述する耐火屋根用のデッキプレート１（図２参照）が幅方向及び長手方向に敷設され、同デッキプレート１上に断熱ボード１１が、タッピングねじ等の固定具１３で固定され、さらにその上面に防水シート１２が敷設されて構成されている。幅方向に隣接する前記デッキプレート１、１同士は、その幅方向の端部に設けた係合部２、３同士が相互に掛け止められて敷設されている（図３、図８参照）。一方、長手方向に隣接する前記デッキプレート１、１同士は、その幅方向の両端部に設けた係合部２、３同士はそれぞれ突き合わされると共に、係合部２、３を除く山部４及び谷部５同士は一部ラップして重ね合わせた状態で敷設されている（図４〜図８参照）。
【００２６】
前記耐火屋根用のデッキプレート１は、図２Ａ、Ｂに示したように、山部４と谷部５を備えた波形の断面形状であり、その幅方向の両端部に前記谷部５と同一面にある底面部６の端部から上方に屈曲して立ち上がる係合部２、３が設けられており、一側の上部係合部３は他側の下部係合部２の上に載ったとき、上方に離脱しないように掛け止まる屈曲した断面形状とされ（図３参照）、各係合部２、３における長手方向の両端部（或いは一端部）は所定の寸法Ｈだけ切除されている（請求項１記載の発明）。
【００２７】
ちなみに、図示例に係るデッキプレート１は、板厚が１．０ｍｍ、幅が６００ｍｍ、高さ（山高）が７５ｍｍ、長さが１０００ｃｍ程度で実施しているが、これに限定されず、敷設面積、鉄骨梁１０の設置間隔、構造設計上必要な強度等に応じて適宜設計変更可能である。これに付随して山部４と谷部５の数も適宜増減可能である。また、図示例に係るデッキプレート１の山部４と谷部５の断面形状は、鋼板を単純に折り曲げ成形して実施しているが、これに限定されず、例えば図１０Ａ〜Ｃに示したように、凹凸部を設けて強度を高めた断面形状で実施することもできる。
【００２８】
具体的に、図示例に係る前記デッキプレート１の係合部２、３の断面形状は、図２Ｂと図３に示したように、係合したときに下側に位置する前記他側の下部係合部２は、前記谷部５と同一面にある底面部６の端部から内方に斜め上方に立ち上がる立ち上がり部２ａと、同立ち上がり部２ａの天端から外方に（ほぼ水平に）突き出る突き出し部２ｂとからなる断面形状で実施され、係合したときに上側に位置する前記一側の上部係合部３は、前記谷部５と同一面にある底面部６の端部から前記他側の下部係合部２より（プレート厚み分だけ）高く立ち上がる立ち上がり部３ａと、同立ち上がり部３ａの天端から外方に突き出る突き出し部３ｂと、同突き出し部３ｂの先端から下方に下がり屈曲するＣ字形状の掛け止め部３ｃとからなる断面形状で実施されている（請求項３記載の発明）。
【００２９】
なお、前記係合部２、３の断面形状は、図２Ｂと図３に限定されないのは勿論であり、例えば図１１Ａ〜Ｅに示したように、一側の上部係合部３が他側の下部係合部２の上に載ったとき、上方に離脱しないように掛け止まる断面形状、すなわち、前記下部係合部３が、谷部５と同一面にある底面部６の端部から内方へ斜め上方に立ち上がる立ち上がり部を有する断面形状であり、前記上部係合部３が、前記谷部５と同一面にある底面部６の端部から上方へ立ち上がり前記下部係合部２を係合する掛け止め部を有する断面形状であれば、種々のバリエーションで実施可能である（請求項２記載の発明）。
【００３０】
また、本実施例に係るデッキプレート１は、図２Ａに示したように、平面方向から見て、各係合部２、３における長手方向の両端部が、ともに所要の寸法（Ｈ）だけ切除されている。当該部位を切除する意義は、前記係合部２、３の断面形状を相互に掛け止め可能な屈曲した形状で実施しているが故に長手方向に重ね合わせて敷設することができないので、この部位を切除して、残る山部４と谷部５（図２Ａの符号Ｂ参照）にラップ可能な重ね代を形成するためである。
【００３１】
前記係合部２、３の長手方向の一方向の端部を切除する寸法は、漏水防止の観点から、ともに同等長さを切除することが好ましく、また、残る山部４と谷部５の重ね代が長手方向に確実にラップできる１０ｍｍ程度以上あればよい。ちなみに、本実施例では２０ｍｍ程度切除して実施している（請求項４記載の発明）。また、本実施例に係る接合部２、３は、図２Ａと図３に示したように、前記底面部６の端部を含めて切除して実施しているが（請求項５記載の発明）、接合部２、３のみ切除して実施することも勿論できる。
【００３２】
次に、上述した構成のデッキプレート１を使用して建築物の耐火屋根構造を施工する方法について説明する。
先ず、鉄骨の柱梁等の構造材を組立て接合した後、建築物最上階の鉄骨梁１０の上に、前記構成の同形・同大の耐火屋根用デッキプレート１…を、幅方向へは、図３に示したように、先行して敷設したデッキプレート１の幅方向の端部に設けた一側の下部係合部２へ、後続のデッキプレート１の幅方向の端部に設けた他側の上部係合部３を上方から掛け止めて敷設する一方、長手方向へは、図４〜図７に示したように、先行して敷設したデッキプレート１へ後続のデッキプレート１を、係合部２、３同士は突き合わせると共に、山部４と谷部５同士はその上面に一部ラップ（符号Ｗを参照）して重ねて敷設する。かくして、前記デッキプレート１…は、図８に示したように、幅方向及び長手方向ともに重ね合わせて接続することができ、全体として最上階の鉄骨梁１０…上に敷設することができる。
次に、外壁工事および排水溝設置工事ならびに板金工事を行い、しかる後、図１に示したように、敷設した前記デッキプレート１…上に断熱ボード１１をタッピングねじ等の固定具１３で固定し、さらにその上面に防水シート１２を敷設して建築物の耐火屋根の施工を完了する（請求項９記載の発明）。
【００３３】
前記デッキプレート１…の敷設について、作業上の観点から説明すると、幅方向への敷設作業は、図３に示したように、先行して敷設したデッキプレート１の他側の下部係合部２に、後続のデッキプレート１の一側の上部係合部３を、その開口部３ｄを被せ、下部係合部２の立ち上がり部２ａに当該上部係合部３の掛け止め部３ｃが当接するまで幅方向にスライドさせて位置決めする工程を繰り返し行う。
一方、長手方向への敷設作業は、先行して敷設したデッキプレート１端部の上面へ、後続のデッキプレート１端部の山部４と谷部５に形成した重ね代を上方から数ｍｍ程度載せて、対向する係合部２、３同士が当接（厳密には、プレート厚み分だけ段差が生じるので、係合部２、３の立ち上がり部２ａ、３ａ同士が当接）するまでスライドさせて位置決めする工程を繰り返し行う。
また、前記デッキプレート１…は、その長手方向に、流水勾配を形成して敷設するのが一般的であるが（請求項７、請求項１０記載の発明）、この場合、デッキプレート１、１同士の長手方向の重ね合わせ部（符号Ｗ参照）からの漏水を未然に防止するべく、排水溝部近傍位置から棟部へ向かって敷設作業を行うことが作業上好ましい（図６参照）。ちなみに、流水勾配は、デッキプレート１を敷設する鉄骨梁１０の配置に段差を設けて形成する場合と、鉄骨梁１０の上面に嵩上げ材を設置して形成する場合の２種類がある。
【００３４】
なお、上述した構成のデッキプレート１の係合部２、３はそれぞれ、その長手方向の両端部を同等長さ（図示例では２０ｍｍ程度）ずつ切除して実施しているが、これに限定されず、例えば、前記係合部２、３の一方向の端部をそれぞれ２０ｍｍずつ切除し、他方向の端部をそれぞれ１５ｍｍずつ切除して実施することもできる。
【００３５】
また、上述した構成のデッキプレート１の係合部２、３は、その長手方向の両端部を切除した形状で実施しているが、これに限定されず、図９Ａ、Ｂに示したように、いずれか一方の端部のみを切除した形状でも敷設して実施することができる（請求項１記載の発明）。
【００３６】
したがって、上記した建築物の耐火屋根構造を施工する方法によると、建築物最上階の鉄骨梁１０の上に、上述した構成の耐火屋根用のデッキプレート１…が、幅方向に隣接するデッキプレート１、１同士は、その幅方向の端部に設けた係合部２、３同士が相互に掛け止められて敷設され、長手方向に隣接するデッキプレート１、１同士は、その幅方向の両端部に設けた係合部２、３同士は突き合わされると共に、係合部２、３を除く山部４及び谷部５同士は一部ラップして重ね合わせた状態で敷設され、当該敷設したデッキプレート１…上に断熱ボード１１が固定され、さらにその上面に防水シート１２が敷設された耐火屋根構造を実現することができる（請求項６記載の発明）。
【００３７】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために言及する。
例えば、図示例では、図８Ａ及び図９Ｂに示したように、同形・同大のデッキプレート１…を幅方向及び長手方向に敷設して実施しているが、これに限定されず、当該デッキプレート１の係合部２、３の長手方向の切除する長さを適宜変更した種々のデッキプレート１…を組み合わせて敷設して実施することもできる。ただし、この場合には、長手方向に隣接するデッキプレート１、１を重ね合わせたときの重ね代の長さＷを一定長さに調整するべく、前記係合部２、３における長手方向の両端部の切り欠き長さの合計を一定にして実施することが好ましい（請求項８記載の発明）
【図面の簡単な説明】
【００３８】
【図１】本発明に係るデッキプレートを使用して構築した耐火屋根構造の枢要部を示した斜視図である。
【図２】Ａは、本発明に係るデッキプレートを示した平面図であり、Ｂは、同正面図である。
【図３】本発明に係るデッキプレートの幅方向への接続状態を示した斜視図である。
【図４】本発明に係るデッキプレートの一側の上部係合部の長手方向への接続状態を段階的に示した斜視図である。
【図５】本発明に係るデッキプレートの他側の下部係合部の長手方向への接続状態を段階的に示した斜視図である。
【図６】本発明に係るデッキプレートの長手方向への接続状態を示した斜視図である。
【図７】Ａは、本発明に係るデッキプレートの長手方向への接続状態を示した平面図であり、Ｂは、同右側面図であり、Ｃは、同正面図である。
【図８】Ａは、本発明に係るデッキプレートの幅方向および長手方向への接続状態を示した平面図であり、Ｂは、同正面図である。
【図９】Ａは、本発明に係るデッキプレートの異なる実施例を示した平面図であり、Ｂは、同デッキプレートの幅方向及び長手方向への接続状態を示した平面図である。
【図１０】Ａ〜Ｃはそれぞれ、本発明に係るデッキプレートの異なる実施例を示した断面図である。
【図１１】Ａ〜Ｅはそれぞれ、本発明に係るデッキプレートの係合部のバリエーションを示した正面図であり、上段は各係合部の形状を示し、下段は各係合部を相互に掛け止めた状態を示している。
【図１２】従来技術に係るデッキプレートを使用して構築した耐火屋根構造の枢要部を示した斜視図である。
【図１３】従来技術に係るデッキプレートを示した正面図である。
【図１４】従来技術に係るデッキプレートの幅方向への接続状態を示した正面図である。
【図１５】Ａは、従来技術に係るデッキプレートの長手方向への接続状態を示した平面図であり、Ｂは、同右側面図であり、Ｃは、同正面図である。
【図１６】Ａは、従来技術に係る異なるデッキプレートの長手方向への接続状態を示した平面図であり、Ｂは、同右側面図であり、Ｃは、同正面図である。
【符号の説明】
【００３９】
１    デッキプレート
２    係合部（下部係合部）
２ａ  立ち上がり部
２ｂ  突き出し部
３    係合部（上部係合部）
３ａ  立ち上がり部
３ｂ  突き出し部
３ｃ  掛け止め部
３ｄ  開口部
４    山部
５    谷部
６    底面部
１０    鉄骨梁
１１    断熱ボード
１２    防水シート
１３    タッピングねじ
１４    パラペット
【図１】
2008133636.tif 000003
【図２】
2008133636.tif 000004
【図３】
2008133636.tif 000005
【図４】
2008133636.tif 000006
【図５】
2008133636.tif 000007
【図６】
2008133636.tif 000008
【図７】
2008133636.tif 000009
【図８】
2008133636.tif 000010
【図９】
2008133636.tif 000011
【図１０】
2008133636.tif 000012
【図１１】
2008133636.tif 000013
【図１２】
2008133636.tif 000014
【図１３】
2008133636.tif 000015
【図１４】
2008133636.tif 000016
【図１５】
2008133636.tif 000017
【図１６】
2008133636.tif 000018